(57)【要約】  本技術は、回路面積を削減することができるようにするチャージポンプ回路に関する。第１のトランジスタと、定電流が供給される第２のトランジスタと、第１のトランジスタと電圧源に接続される第３のトランジスタと、第１のトランジスタ側に、縦続にＮ個配置され、その制御端子の全てが第２のトランジスタと接続される第４のトランジスタ群と、第２のトランジスタ側に、縦続にＮ個配置され、その制御端子の全てが第２のトランジスタと接続される第５のトランジスタ群と、第１のトランジスタと第２のトランジスタを接続する第１のスイッチと、第１のトランジスタを接地ノードに接続する第２のスイッチと、第３のトランジスタと第５のトランジスタ群とを接続する第３のスイッチと、第３のトランジスタを接地ノードに接続する第４のスイッチとを備えるチャージポンプ回路が提供される。
2019150942.tif 000002
【特許請求の範囲】
【請求項１】
第１の端子、出力端子に接続される第２の端子、及び制御端子を含む第１のトランジスタと、
第１の端子、定電流が供給される第２の端子、及び当該第２の端子に接続される制御端子を含む第２のトランジスタと、
前記第１のトランジスタの第１の端子と接続される第１の端子、任意の電圧を供給する電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、接地ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、接地ノードに接続する第４のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が接地ノードに接続される
チャージポンプ回路。
【請求項２】
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
請求項１に記載のチャージポンプ回路。
【請求項３】
一方電極が、前記第２のトランジスタの制御端子と前記第１のスイッチ素子との間の信号線に接続され、他方の電極が接地ノードに接続される容量素子をさらに備える
請求項１に記載のチャージポンプ回路。
【請求項４】
第１の端子、出力端子に接続される第２の端子、及び制御端子を含む第１のトランジスタと、
第１の端子、定電流が供給される第２の端子、及び当該第２の端子に接続される制御端子を含む第２のトランジスタと、
前記第１のトランジスタの第１の端子と接続される第１の端子、任意の電圧を供給する電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、電源ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、電源ノードに接続する第４のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が電源ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が電源ノードに接続される
チャージポンプ回路。
【請求項５】
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
請求項４に記載のチャージポンプ回路。
【請求項６】
一方電極が、前記第２のトランジスタの制御端子と前記第１のスイッチ素子との間の信号線に接続され、他方の電極が電源ノードに接続される容量素子をさらに備える
請求項４に記載のチャージポンプ回路。
【請求項７】
第１の端子、出力端子に接続される第２の端子、及び制御端子を含む第１のトランジスタと、
第１の端子、第１の定電流が供給される第２の端子、及び当該第２の端子に接続される制御端子を含む第２のトランジスタと、
前記第１のトランジスタの第１の端子と接続される第１の端子、第１の電圧を供給する第１の電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、接地ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、接地ノードに接続する第４のスイッチ素子と、
第１の端子、出力端子に接続される第２の端子、及び制御端子を含む第６のトランジスタと、
第１の端子、第２の定電流が供給される第２の端子、及び当該第２の端子に接続される制御端子を含む第７のトランジスタと、
前記第６のトランジスタの第１の端子と接続される第１の端子、第２の電圧を供給する第２の電圧源に接続される第２の端子、及び制御端子を含む第８のトランジスタと、
前記第６のトランジスタの第１の端子側に、縦続にＭ個（Ｍ：１以上の整数）配置され、その制御端子の全てが前記第７のトランジスタの制御端子と接続される第９のトランジスタ群と、
前記第７のトランジスタの第１の端子側に、縦続にＭ個配置され、その制御端子の全てが前記第７のトランジスタの制御端子と接続される第１０のトランジスタ群と、
前記第６のトランジスタの制御端子と、前記第７のトランジスタの制御端子とを電気的に接続する第５のスイッチ素子と、
前記第６のトランジスタの制御端子を、電源ノードに接続する第６のスイッチ素子と、
前記第８のトランジスタの制御端子と、前記第９のトランジスタ群及び前記第１０のトランジスタ群の制御端子とを電気的に接続する第７のスイッチ素子と、
前記第８のトランジスタの制御端子を、電源ノードに接続する第８のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第６のトランジスタは、前記第７のトランジスタと同一のチャネル幅及びチャネル長を有し、
前記第８のトランジスタは、前記第６のトランジスタ及び前記第７のトランジスタと同一のチャネル幅及びチャネル長を有し、
前記第９のトランジスタ群において、各トランジスタは、前記第７のトランジスタと同一のチャネル幅及びチャネル長を有するとともに、各トランジスタのうち、１つのトランジスタの第１の端子が電源ノードに接続され、
前記第１０のトランジスタ群において、各トランジスタは、前記第７のトランジスタと同一のチャネル幅及びチャネル長を有するとともに、各トランジスタのうち、１つのトランジスタの第１の端子が電源ノードに接続される
チャージポンプ回路。
【請求項８】
電流の吸い込み時に電流を出力する期間である第１の電流出力期間に、前記第１のスイッチ素子及び前記第４のスイッチ素子がオンされ、前記第２のスイッチ素子及び前記第３のスイッチ素子がオフされ、
前記第１の電流出力期間を除いた期間に、前記第１のスイッチ素子及び前記第４のスイッチ素子がオフされ、前記第２のスイッチ素子及び前記第３のスイッチ素子がオンされ、
電流の供給時に電流を出力する期間である第２の電流出力期間に、前記第５のスイッチ素子及び前記第８のスイッチ素子がオンされ、前記第６のスイッチ素子及び前記第７のスイッチ素子がオフされ、
前記第２の電流出力期間を除いた期間に、前記第５のスイッチ素子及び前記第８のスイッチ素子がオフされ、前記第６のスイッチ素子及び前記第７のスイッチ素子がオンされる
請求項７に記載のチャージポンプ回路。
【請求項９】
一方電極が、前記第２のトランジスタの制御端子と前記第１のスイッチ素子との間の信号線に接続され、他方の電極が接地ノードに接続される第１の容量素子と、
一方電極が、前記第７のトランジスタの制御端子と前記第５のスイッチ素子との間の信号線に接続され、他方の電極が電源ノードに接続される第２の容量素子と
をさらに備える請求項７に記載のチャージポンプ回路。
【請求項１０】
前記第１のトランジスタ、前記第２のトランジスタ、前記第３のトランジスタ、前記第４のトランジスタ群、及び前記第５のトランジスタ群は、N型のMOSトランジスタを含み、
前記第６のトランジスタ、前記第７のトランジスタ、前記第８のトランジスタ、前記第９のトランジスタ群、及び前記第１０のトランジスタ群は、P型のMOSトランジスタを含み、
前記第１の端子はソースを含み、前記第２の端子はドレインを含み、前記制御端子はゲートを含む
請求項７に記載のチャージポンプ回路。
【請求項１１】
接地ノードに接続される第１の端子、出力端子に接続される第２の端子、及び制御端子を含む電流源トランジスタと、
前記電流源トランジスタの制御端子を、第１の電圧が印加された第１の信号線に接続する第１のスイッチ素子と、
前記電流源トランジスタの制御端子を、接地ノードに接続する第２のスイッチ素子と、
一方の電極が前記第１の信号線に接続され、他方の電極が、第２の電圧が印加された第２の信号線、又は前記第２の電圧と前記第１の電圧との差電圧が印加された第３の信号線に接続可能な容量素子と、
前記容量素子の他方の電極を、前記第３の信号線に接続する第３のスイッチ素子と、
前記容量素子の他方の電極を、前記第２の信号線に接続する第４のスイッチ素子と
を備えるチャージポンプ回路。
【請求項１２】
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
請求項１１に記載のチャージポンプ回路。
【請求項１３】
第１の端子、並びに前記第２の信号線に接続される第２の端子及び制御端子を含むトランジスタをさらに備え、
前記トランジスタの第１の端子側に定電流を供給することで、前記差電圧を、前記第３の信号線に印加する
請求項１１に記載のチャージポンプ回路。
【請求項１４】
電源ノードに接続される第１の端子、出力端子に接続される第２の端子、及び制御端子を含む電流源トランジスタと、
前記電流源トランジスタの制御端子を、電源電圧と第１の電圧との差電圧が印加された第１の信号線に接続する第１のスイッチ素子と、
前記電流源トランジスタの制御端子を、電源ノードに接続する第２のスイッチ素子と、
一方の電極が前記第１の信号線に接続され、他方の電極が、第２の電圧が印加された第２の信号線、又は前記第２の電圧と前記第１の電圧との和電圧が印加された第３の信号線に接続可能な容量素子と、
前記容量素子の他方の電極を、前記第３の信号線に接続する第３のスイッチ素子と、
前記容量素子の他方の電極を、前記第２の信号線に接続する第４のスイッチ素子と
を備えるチャージポンプ回路。
【請求項１５】
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
請求項１４に記載のチャージポンプ回路。
【請求項１６】
第１の端子、並びに前記第２の信号線に接続される第２の端子及び制御端子を含むトランジスタをさらに備え、
前記トランジスタの第１の端子側に定電流を供給することで、前記和電圧を、前記第３の信号線に印加する
請求項１４に記載のチャージポンプ回路。
【請求項１７】
接地ノードに接続される第１の端子、出力端子に接続される第２の端子、及び制御端子を含む第１のトランジスタと、
前記第１のトランジスタの制御端子を、第１の電圧が印加された第１の信号線に接続する第１のスイッチ素子と、
前記第１のトランジスタの制御端子を、接地ノードに接続する第２のスイッチ素子と、
一方の電極が前記第１の信号線に接続され、他方の電極が、第２の電圧が印加された第２の信号線、又は前記第２の電圧と前記第１の電圧との差電圧が印加された第３の信号線に接続可能な第１の容量素子と、
前記第１の容量素子の他方の電極を、前記第３の信号線に接続する第３のスイッチ素子と、
前記第１の容量素子の他方の電極を、前記第２の信号線に接続する第４のスイッチ素子と、
電源ノードに接続される第１の端子、出力端子に接続される第２の端子、及び制御端子を含む第２のトランジスタと、
前記第２のトランジスタの制御端子を、電源電圧と第３の電圧との差電圧が印加された第４の信号線に接続する第５のスイッチ素子と、
前記第２のトランジスタの制御端子を、電源ノードに接続する第６のスイッチ素子と、
一方の電極が前記第４の信号線に接続され、他方の電極が、第４の電圧が印加された第５の信号線、又は前記第４の電圧と前記第３の電圧との和電圧が印加された第６の信号線に接続可能な第２の容量素子と、
前記第２の容量素子の他方の電極を、前記第６の信号線に接続する第７のスイッチ素子と、
前記第２の容量素子の他方の電極を、前記第５の信号線に接続する第８のスイッチ素子と
を備えるチャージポンプ回路。
【請求項１８】
電流の吸い込み時に電流を出力する期間である第１の電流出力期間に、前記第１のスイッチ素子及び前記第４のスイッチ素子がオンされ、前記第２のスイッチ素子及び前記第３のスイッチ素子がオフされ、
前記第１の電流出力期間を除いた期間に、前記第１のスイッチ素子及び前記第４のスイッチ素子がオフされ、前記第２のスイッチ素子及び前記第３のスイッチ素子がオンされ、
電流の供給時に電流を出力する期間である第２の電流出力期間に、前記第５のスイッチ素子及び前記第８のスイッチ素子がオンされ、前記第６のスイッチ素子及び前記第７のスイッチ素子がオフされ、
前記第２の電流出力期間を除いた期間に、前記第５のスイッチ素子及び前記第８のスイッチ素子がオフされ、前記第６のスイッチ素子及び前記第７のスイッチ素子がオンされる
請求項１７に記載のチャージポンプ回路。
【請求項１９】
第１の端子、並びに前記第２の信号線に接続される第２の端子及び制御端子を含む第３のトランジスタと、
第１の端子、並びに前記第５の信号線に接続される第２の端子及び制御端子を含む第４のトランジスタと
をさらに備え、
前記第３のトランジスタの第１の端子側に第１の定電流を供給することで、前記差電圧を、前記第３の信号線に印加し、
前記第４のトランジスタの第１の端子側に第２の定電流を供給することで、前記和電圧を、前記第６の信号線に印加する
請求項１７に記載のチャージポンプ回路。
【請求項２０】
前記第１のトランジスタは、N型のMOSトランジスタを含み、
前記第２のトランジスタは、P型のMOSトランジスタを含み、
前記第３のトランジスタは、N型のMOSトランジスタを含み、
前記第４のトランジスタは、P型のMOSトランジスタを含み、
前記第１の端子はソースを含み、前記第２の端子はドレインを含み、前記制御端子はゲートを含む
請求項１９に記載のチャージポンプ回路。
【発明の詳細な説明】
【技術分野】
【０００１】
本技術は、チャージポンプ回路に関し、特に、回路面積を削減することができるようにしたチャージポンプ回路に関する。
【背景技術】
【０００２】
PLL(Phase Locked Loop)回路等においては、チャージポンプ回路が用いられている。チャージポンプ回路の構成としては、例えば、ゲートスイッチング型の構成が知られている（例えば、特許文献１参照）。
【先行技術文献】
【特許文献】
【０００３】
【特許文献１】特開昭６２−２３４４１５号公報
【発明の概要】
【発明が解決しようとする課題】
【０００４】
ところで、ゲートスイッチング型のチャージポンプ回路では、低電圧動作が可能となるが、電流値の減少を抑えるために、十分に大きな容量を配置する必要があり、回路面積が増大してしまう。そのため、チャージポンプ回路において、回路面積が増大を抑制するための技術が求められていた。【０００５】
本技術はこのような状況に鑑みてなされたものであり、回路面積を削減することができるようにするものである。
【課題を解決するための手段】
【０００６】
本技術の第１の側面のチャージポンプ回路は、第１の端子、出力端子に接続される第２の端子、及び制御端子を含む第１のトランジスタと、第１の端子、定電流が供給される第２の端子、及び当該第２の端子に接続される制御端子を含む第２のトランジスタと、前記第１のトランジスタの第１の端子と接続される第１の端子、任意の電圧を供給する電圧源に接続される第２の端子、及び制御端子を含む第３のトランジスタと、前記第１のトランジスタの第１の端子側に、縦続にＮ個（Ｎ：１以上の整数）配置され、その制御端子の全てが前記第２のトランジスタの制御端子と接続される第４のトランジスタ群と、前記第２のトランジスタの第１の端子側に、縦続にＮ個配置され、その制御端子の全てが前記第２のトランジスタの制御端子と接続される第５のトランジスタ群と、前記第１のトランジスタの制御端子と、前記第２のトランジスタの制御端子とを電気的に接続する第１のスイッチ素子と、前記第１のトランジスタの制御端子を、接地ノードに接続する第２のスイッチ素子と、前記第３のトランジスタの制御端子と、前記第４のトランジスタ群及び前記第５のトランジスタ群の制御端子とを電気的に接続する第３のスイッチ素子と、前記第３のトランジスタの制御端子を、接地ノードに接続する第４のスイッチ素子とを備え、前記第１のトランジスタは、前記第２のトランジスタと同一のチャネル幅及びチャネル長を有し、前記第３のトランジスタは、前記第１のトランジスタ及び前記第２のトランジスタと同一のチャネル幅及びチャネル長を有し、前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、前記第５のトランジスタ群において、各トランジスタは、前記第２のトランジスタと同一のチャネル幅及びチャネル長を有するとともに、各トランジスタのうち、１つのトランジスタの第１の端子が接地ノードに接続されるチャージポンプ回路である。【０００７】
本技術の第２の側面のチャージポンプ回路は、第１の端子、出力端子に接続される第２の端子、及び制御端子を含む第１のトランジスタと、第１の端子、定電流が供給される第２の端子、及び当該第２の端子に接続される制御端子を含む第２のトランジスタと、前記第１のトランジスタの第１の端子と接続される第１の端子、任意の電圧を供給する電圧源に接続される第２の端子、及び制御端子を含む第３のトランジスタと、前記第１のトランジスタの第１の端子側に、縦続にＮ個（Ｎ：１以上の整数）配置され、その制御端子の全てが前記第２のトランジスタの制御端子と接続される第４のトランジスタ群と、前記第２のトランジスタの第１の端子側に、縦続にＮ個配置され、その制御端子の全てが前記第２のトランジスタの制御端子と接続される第５のトランジスタ群と、前記第１のトランジスタの制御端子と、前記第２のトランジスタの制御端子とを電気的に接続する第１のスイッチ素子と、前記第１のトランジスタの制御端子を、電源ノードに接続する第２のスイッチ素子と、前記第３のトランジスタの制御端子と、前記第４のトランジスタ群及び前記第５のトランジスタ群の制御端子とを電気的に接続する第３のスイッチ素子と、前記第３のトランジスタの制御端子を、電源ノードに接続する第４のスイッチ素子とを備え、前記第１のトランジスタは、前記第２のトランジスタと同一のチャネル幅及びチャネル長を有し、前記第３のトランジスタは、前記第１のトランジスタ及び前記第２のトランジスタと同一のチャネル幅及びチャネル長を有し、前記第４のトランジスタ群において、各トランジスタは、前記第２のトランジスタと同一のチャネル幅及びチャネル長を有するとともに、各トランジスタのうち、１つのトランジスタの第１の端子が電源ノードに接続され、前記第５のトランジスタ群において、各トランジスタは、前記第２のトランジスタと同一のチャネル幅及びチャネル長を有するとともに、各トランジスタのうち、１つのトランジスタの第１の端子が電源ノードに接続されるチャージポンプ回路である。【０００８】
本技術の第３の側面のチャージポンプ回路は、第１の端子、出力端子に接続される第２の端子、及び制御端子を含む第１のトランジスタと、第１の端子、第１の定電流が供給される第２の端子、及び当該第２の端子に接続される制御端子を含む第２のトランジスタと、前記第１のトランジスタの第１の端子と接続される第１の端子、第１の電圧を供給する第１の電圧源に接続される第２の端子、及び制御端子を含む第３のトランジスタと、前記第１のトランジスタの第１の端子側に、縦続にＮ個（Ｎ：１以上の整数）配置され、その制御端子の全てが前記第２のトランジスタの制御端子と接続される第４のトランジスタ群と、前記第２のトランジスタの第１の端子側に、縦続にＮ個配置され、その制御端子の全てが前記第２のトランジスタの制御端子と接続される第５のトランジスタ群と、前記第１のトランジスタの制御端子と、前記第２のトランジスタの制御端子とを電気的に接続する第１のスイッチ素子と、前記第１のトランジスタの制御端子を、接地ノードに接続する第２のスイッチ素子と、前記第３のトランジスタの制御端子と、前記第４のトランジスタ群及び前記第５のトランジスタ群の制御端子とを電気的に接続する第３のスイッチ素子と、前記第３のトランジスタの制御端子を、接地ノードに接続する第４のスイッチ素子と、第１の端子、出力端子に接続される第２の端子、及び制御端子を含む第６のトランジスタと、第１の端子、第２の定電流が供給される第２の端子、及び当該第２の端子に接続される制御端子を含む第７のトランジスタと、前記第６のトランジスタの第１の端子と接続される第１の端子、第２の電圧を供給する第２の電圧源に接続される第２の端子、及び制御端子を含む第８のトランジスタと、前記第６のトランジスタの第１の端子側に、縦続にＭ個（Ｍ：１以上の整数）配置され、その制御端子の全てが前記第７のトランジスタの制御端子と接続される第９のトランジスタ群と、前記第７のトランジスタの第１の端子側に、縦続にＭ個配置され、その制御端子の全てが前記第７のトランジスタの制御端子と接続される第１０のトランジスタ群と、前記第６のトランジスタの制御端子と、前記第７のトランジスタの制御端子とを電気的に接続する第５のスイッチ素子と、前記第６のトランジスタの制御端子を、電源ノードに接続する第６のスイッチ素子と、前記第８のトランジスタの制御端子と、前記第９のトランジスタ群及び前記第１０のトランジスタ群の制御端子とを電気的に接続する第７のスイッチ素子と、前記第８のトランジスタの制御端子を、電源ノードに接続する第８のスイッチ素子とを備え、前記第１のトランジスタは、前記第２のトランジスタと同一のチャネル幅及びチャネル長を有し、前記第３のトランジスタは、前記第１のトランジスタ及び前記第２のトランジスタと同一のチャネル幅及びチャネル長を有し、前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、前記第５のトランジスタ群において、各トランジスタは、前記第２のトランジスタと同一のチャネル幅及びチャネル長を有するとともに、各トランジスタのうち、１つのトランジスタの第１の端子が接地ノードに接続され、前記第６のトランジスタは、前記第７のトランジスタと同一のチャネル幅及びチャネル長を有し、前記第８のトランジスタは、前記第６のトランジスタ及び前記第７のトランジスタと同一のチャネル幅及びチャネル長を有し、前記第９のトランジスタ群において、各トランジスタは、前記第７のトランジスタと同一のチャネル幅及びチャネル長を有するとともに、各トランジスタのうち、１つのトランジスタの第１の端子が電源ノードに接続され、前記第１０のトランジスタ群において、各トランジスタは、前記第７のトランジスタと同一のチャネル幅及びチャネル長を有するとともに、各トランジスタのうち、１つのトランジスタの第１の端子が電源ノードに接続されるチャージポンプ回路である。【０００９】
本技術の第４の側面のチャージポンプ回路は、接地ノードに接続される第１の端子、出力端子に接続される第２の端子、及び制御端子を含む電流源トランジスタと、前記電流源トランジスタの制御端子を、第１の電圧が印加された第１の信号線に接続する第１のスイッチ素子と、前記電流源トランジスタの制御端子を、接地ノードに接続する第２のスイッチ素子と、一方の電極が前記第１の信号線に接続され、他方の電極が、第２の電圧が印加された第２の信号線、又は前記第２の電圧と前記第１の電圧との差電圧が印加された第３の信号線に接続可能な容量素子と、前記容量素子の他方の電極を、前記第３の信号線に接続する第３のスイッチ素子と、前記容量素子の他方の電極を、前記第２の信号線に接続する第４のスイッチ素子とを備えるチャージポンプ回路である。【００１０】
本技術の第５の側面のチャージポンプ回路は、電源ノードに接続される第１の端子、出力端子に接続される第２の端子、及び制御端子を含む電流源トランジスタと、前記電流源トランジスタの制御端子を、電源電圧と第１の電圧との差電圧が印加された第１の信号線に接続する第１のスイッチ素子と、前記電流源トランジスタの制御端子を、電源ノードに接続する第２のスイッチ素子と、一方の電極が前記第１の信号線に接続され、他方の電極が、第２の電圧が印加された第２の信号線、又は前記第２の電圧と前記第１の電圧との和電圧が印加された第３の信号線に接続可能な容量素子と、前記容量素子の他方の電極を、前記第３の信号線に接続する第３のスイッチ素子と、前記容量素子の他方の電極を、前記第２の信号線に接続する第４のスイッチ素子とを備えるチャージポンプ回路である。【００１１】
本技術の第６の側面のチャージポンプ回路は、接地ノードに接続される第１の端子、出力端子に接続される第２の端子、及び制御端子を含む第１のトランジスタと、前記第１のトランジスタの制御端子を、第１の電圧が印加された第１の信号線に接続する第１のスイッチ素子と、前記第１のトランジスタの制御端子を、接地ノードに接続する第２のスイッチ素子と、一方の電極が前記第１の信号線に接続され、他方の電極が、第２の電圧が印加された第２の信号線、又は前記第２の電圧と前記第１の電圧との差電圧が印加された第３の信号線に接続可能な第１の容量素子と、前記第１の容量素子の他方の電極を、前記第３の信号線に接続する第３のスイッチ素子と、前記第１の容量素子の他方の電極を、前記第２の信号線に接続する第４のスイッチ素子と、電源ノードに接続される第１の端子、出力端子に接続される第２の端子、及び制御端子を含む第２のトランジスタと、前記第２のトランジスタの制御端子を、電源電圧と第３の電圧との差電圧が印加された第４の信号線に接続する第５のスイッチ素子と、前記第２のトランジスタの制御端子を、電源ノードに接続する第６のスイッチ素子と、一方の電極が前記第４の信号線に接続され、他方の電極が、第４の電圧が印加された第５の信号線、又は前記第４の電圧と前記第３の電圧との和電圧が印加された第６の信号線に接続可能な第２の容量素子と、前記第２の容量素子の他方の電極を、前記第６の信号線に接続する第７のスイッチ素子と、前記第２の容量素子の他方の電極を、前記第５の信号線に接続する第８のスイッチ素子とを備えるチャージポンプ回路である。【００１２】
なお、本技術の第１の側面乃至第６の側面のチャージポンプ回路は、独立した装置であってもよいし、１つの装置を構成している内部ブロックであってもよい。
【発明の効果】
【００１３】
本技術の第１の側面乃至第６の側面によれば、回路面積を削減することができる。【００１４】
なお、ここに記載された効果は必ずしも限定されるものではなく、本開示中に記載されたいずれかの効果であってもよい。
【図面の簡単な説明】
【００１５】
【図１】第１の実施の形態のチャージポンプ回路の第１の構成の例を示す回路図である。
【図２】第１の実施の形態のチャージポンプ回路の第１の構成の例のスイッチの動作を示すタイミングチャートである。
【図３】第１の実施の形態のチャージポンプ回路の第２の構成の例を示す回路図である。
【図４】第１の実施の形態のチャージポンプ回路の第２の構成の例のスイッチの動作を示すタイミングチャートである。
【図５】第１の実施の形態のチャージポンプ回路の第３の構成の例を示す回路図である。
【図６】第１の実施の形態のチャージポンプ回路の第３の構成の例のスイッチの動作を示すタイミングチャートである。
【図７】第２の実施の形態のチャージポンプ回路の第１の構成の例を示す回路図である。
【図８】第２の実施の形態のチャージポンプ回路の第１の構成の例のスイッチの動作を示すタイミングチャートである。
【図９】第２の実施の形態のチャージポンプ回路の第２の構成の例を示す回路図である。
【図１０】第２の実施の形態のチャージポンプ回路の第２の構成の例のスイッチの動作を示すタイミングチャートである。
【図１１】第２の実施の形態のチャージポンプ回路の第３の構成の例を示す回路図である。
【図１２】第２の実施の形態のチャージポンプ回路の第３の構成の例のスイッチの動作を示すタイミングチャートである。
【図１３】第３の実施の形態のチャージポンプ回路の第１の構成の例を示す回路図である。
【図１４】第３の実施の形態のチャージポンプ回路の第１の構成の例のスイッチの動作を示すタイミングチャートである。
【図１５】第３の実施の形態のチャージポンプ回路の第２の構成の例を示す回路図である。
【図１６】第３の実施の形態のチャージポンプ回路の第２の構成の例のスイッチの動作を示すタイミングチャートである。
【図１７】第３の実施の形態のチャージポンプ回路の第３の構成の例を示す回路図である。
【図１８】第３の実施の形態のチャージポンプ回路の第３の構成の例のスイッチの動作を示すタイミングチャートである。
【図１９】第４の実施の形態の電子回路システムの構成の例を示す図である。
【発明を実施するための形態】
【００１６】
以下、図面を参照しながら本技術の実施の形態について説明する。なお、説明は以下の順序で行うものとする。
【００１７】
１．第１の実施の形態：電流源縦積み型
２．第２の実施の形態：電荷キャンセル型
３．第３の実施の形態：電荷キャンセル型（電位生成手段を含む）
４．第４の実施の形態：電子回路システム
５．変形例
【００１８】
＜１．第１の実施の形態＞
【００１９】
第１の実施の形態においては、チャージポンプ回路１００として、電流源側に複数の縦積みされたトランジスタを設けた構成を説明する。
【００２０】
なお、チャージポンプ回路１００は、電流放電のための電流吸い込み（引き抜き）として動作する場合と、充電電流を供給（注入）する電流源として動作する場合がある。以下の説明では、前者を、「吸込型」と称し、後者を、「供給型」と称して、吸込型のチャージポンプ回路１００Ａ、供給型のチャージポンプ回路１００Ｂ、及び吸込・供給一体型のチャージポンプ回路１００Ｃにおける構成と動作を順に説明する。
【００２１】
（第１の構成の回路図）
図１は、第１の実施の形態のチャージポンプ回路の第１の構成の例を示す回路図である。
【００２２】
図１において、吸込型のチャージポンプ回路１００Ａは、定電流回路１１１、トランジスタTr11，Tr12，Tr13，Tr14-1乃至Tr14-N，Tr15-1乃至Tr15-N，スイッチSW11乃至SW14，及び容量C11を含む。なお、トランジスタTr11，Tr12，Tr13，Tr14-1乃至Tr14-N，Tr15-1乃至Tr15-Nは、例えば、N型のMOSトランジスタとして構成することができる。
【００２３】
トランジスタTr11は、ドレインが出力端子１１２に接続され、ソースがトランジスタTr13のソースに接続され、ゲートが、スイッチSW11，SW12に接続される。また、トランジスタTr11のソース側には、Ｎ個（Ｎ：１以上の整数）の縦積みされたトランジスタTr14-1乃至Tr14-Nが接続される。
【００２４】
トランジスタTr12は、ドレインが、定電流回路１１１に接続される。また、トランジスタTr12のゲートは、ドレインとスイッチSW11にそれぞれ接続される。さらに、トランジスタTr12のソース側には、Ｎ個（Ｎ：１以上の整数）の縦積みされたトランジスタTr15-1乃至Tr15-Nが接続され、そのゲートの全てが、トランジスタTr12のゲートに接続される。
【００２５】
トランジスタTr13は、ドレインが電圧源（任意の電圧VA）に接続され、ソースがトランジスタTr11のソースに接続され、ゲートが、スイッチSW13，SW14に接続される。また、トランジスタTr13のソース側には、Ｎ個の縦積みされたトランジスタTr14-1乃至Tr14-Nが接続される。
【００２６】
トランジスタTr14-1乃至Tr14-Nは、トランジスタTr11，Tr13のソース側に、縦続にＮ個配置され、そのゲートの全てが、トランジスタTr12のゲートと接続される。なお、縦積みされたトランジスタTr14-1乃至Tr14-Nのうち、Ｎ個目のトランジスタTr14-Nのソースは、接地ノードに接続される。
【００２７】
トランジスタTr15-1乃至Tr15-Nは、トランジスタTr12のソース側に、縦続にＮ個配置され、そのゲートの全てが、トランジスタTr12のゲートと接続される。なお、縦積みされたトランジスタTr15-1乃至Tr15-Nのうち、Ｎ個目のトランジスタTr15-Nのソースは、接地ノードに接続される。
【００２８】
ここで、吸込型のチャージポンプ回路１００Ａにおける、各トランジスタTrのサイズであるが、次の式（１）と、式（２）に示すような関係を有している。
【００２９】
Tr12 = Tr11 = Tr13       ・・・（１）
Tr15 = Tr14              ・・・（２）
【００３０】
すなわち、各トランジスタTrのチャネル幅（Ｗ長）とチャネル長（Ｌ長）を任意の値に設計できる場合に、トランジスタTr11及びトランジスタTr13は、そのチャネル幅とチャネル長が、トランジスタTr12のチャネル幅とチャネル長と同一の値とされる。すなわち、トランジスタTr11と、トランジスタTr12と、トランジスタTr13とは、同一のチャネル幅（Ｗ長）とチャネル長（Ｌ長）により構成される。
【００３１】
また、トランジスタTr14-1乃至Tr14-Nの各トランジスタTr14、及びトランジスタTr15-1乃至Tr15-Nの各トランジスタTr15は、そのチャネル幅とチャネル長が、トランジスタTr12のチャネル幅とチャネル長と同一の値とされる。すなわち、トランジスタTr14-1乃至Tr14-Nと、トランジスタTr15-1乃至Tr15-Nとは、同一のチャネル幅（Ｗ長）とチャネル長（Ｌ長）により構成される。
【００３２】
なお、トランジスタTr14-1乃至Tr14-NとトランジスタTr15-1乃至Tr15-Nとは、各トランジスタのマルチ数やフィンガー数が同じになる場合は勿論、各トランジスタのマルチ数やフィンガー数が異なる場合でも、チャネル幅とチャネル長が一致していればよい。すなわち、例えば、ノイズやトランジスタの相対ばらつき改善を目的として、トランジスタTr12及びトランジスタTr15において、トランジスタTr11及びトランジスタTr14とチャネル幅とチャネル長が同じものの、マルチ数又はフィンガー数を変更する場合があるが、そのような場合であっても、本技術の構成を採用することができる。
【００３３】
スイッチSW11は、一方の端が、トランジスタTr11のゲートに接続され、他方の端が、トランジスタTr12のゲート及びトランジスタTr15-1乃至Tr15-Nのゲートに接続される。
【００３４】
スイッチSW11は、そこに入力される制御信号に応じたスイッチング動作を行う。スイッチSW11は、オン状態となったときに、トランジスタTr11のゲートと、トランジスタTr12のゲート及びトランジスタTr15-1乃至Tr15-Nのゲートとを電気的に接続する。
【００３５】
スイッチSW12は、一方の端が、トランジスタTr11のゲートに接続され、他方の端が接地ノードに接続される。スイッチSW12は、そこに入力される制御信号に応じたスイッチング動作を行う。スイッチSW12は、オン状態となったときに、トランジスタTr11のゲートを、接地ノードに接続する。
【００３６】
スイッチSW13は、一方の端が、トランジスタTr13のゲートに接続され、他方の端が、トランジスタTr12のゲート及びトランジスタTr15-1乃至Tr15-Nのゲート、並びにトランジスタTr14-1乃至Tr14-Nのゲートに接続される。
【００３７】
スイッチSW13は、そこに入力される制御信号に応じたスイッチング動作を行う。スイッチSW13は、オン状態となったときに、トランジスタTr13のゲートと、トランジスタTr12のゲート及びトランジスタTr15-1乃至Tr15-Nのゲート、並びにトランジスタTr14-1乃至Tr14-Nのゲートとを電気的に接続する。
【００３８】
スイッチSW14は、一方の端が、トランジスタTr13のゲートに接続され、他方の端が接地ノードに接続される。スイッチSW14は、そこに入力される制御信号に応じたスイッチング動作を行う。スイッチSW14は、オン状態となったときに、トランジスタTr13のゲートを、接地ノードに接続する。
【００３９】
容量C11は、一方電極が、トランジスタTr12のゲートとスイッチSW11との間の信号線に接続され、他方の電極が接地ノードに接続される。
【００４０】
（第１の構成の動作）
次に、図２のタイミングチャートを参照しながら、図１に示した吸込型のチャージポンプ回路１００Ａの動作を説明する。図２のＡ乃至Ｄには、スイッチSW11乃至SW14に入力される制御信号のレベルをそれぞれ示しており、各スイッチSWは、Hレベル又はLレベルの制御信号に従い、スイッチング動作を行う。
【００４１】
図２においては、時刻t12乃至時刻t13が、出力端子１１２から電流を出力する期間である電流出力期間となっている。この電流出力期間においては、スイッチSW11，SW14がオン状態となって、トランジスタTr11のゲートが、トランジスタTr12のゲート及びトランジスタTr15-1乃至Tr15-Nのゲートに電気的に接続されるとともに、トランジスタTr13のゲートが、接地ノードに接続される。
【００４２】
このように、電流出力期間に電流源をオンする際には、スイッチSW11，SW14をオン状態とし、スイッチSW12，SW13をオフ状態とするようなスイッチング制御を行うことで、電流源をオンした状態では、トランジスタTr12及びトランジスタTr15-1乃至Tr15-Nと、トランジスタTr11及びトランジスタTr14-1乃至Tr14-Nとは、同一の構成となるため、カレントミラー動作を行い、意図した電流を出力することができる。
【００４３】
ここで、トランジスタTr12及びトランジスタTr15-1乃至Tr15-Nと、トランジスタTr11及びトランジスタTr14-1乃至Tr14-Nとは、同一のチャネル幅（W：Ｗ長）とチャネル長（L：Ｌ長）により構成されるため、トランジスタTr12及びトランジスタTr15-1乃至Tr15-Nと、トランジスタTr11及びトランジスタTr14-1乃至Tr14-Nとを合わせれば、次の式（３）に示した特性を有するトランジスタとして振る舞うことになる。
【００４４】
W / (N + 1) × L       ・・・（３）
【００４５】
この式（３）に示した特性から、吸込型のチャージポンプ回路１００Ａでは、従来のチャージポンプ回路におけるチャネル長（Ｌ長）の大きな電流源を、N + 1分割していることを意味している。
【００４６】
そして、上述した内容を踏まえれば、スイッチングを行うのが、トランジスタTr11だけであるため、スイッチが接続された電流源ゲートの寄生容量成分は、従来のチャージポンプ回路におけるチャネル長（Ｌ長）の大きな電流源と比べて、1 / (N + 1) に小さくなっている。これにより、電荷シェアによる吸い込みの電流値の減少を抑えるための容量値（容量C11の容量値）を、1 / (N + 1) にすることができるため、回路面積を大きく削減することができる。
【００４７】
一方で、図２において、電力出力期間を除いた期間、すなわち、時刻t11乃至時刻t12と、時刻t13以降の期間では、スイッチSW12，SW13がオン状態となって、トランジスタTr11のゲートが、接地ノードに接続されるとともに、トランジスタTr13のゲートが、トランジスタTr12のゲート及びトランジスタTr15-1乃至Tr15-Nのゲート、並びにトランジスタTr14-1乃至Tr14-Nのゲートに電気的に接続される。
【００４８】
このように、電流出力期間を除いた期間に電流源をオフする際には、スイッチSW11，SW14をオフ状態とし、スイッチSW12，SW13をオン状態とするようなスイッチング制御を行うことで、電流源をオフした状態では、トランジスタTr13及びトランジスタTr14-1乃至Tr14-Nが、トランジスタTr12及びトランジスタTr15-1乃至Tr15-Nとカレントミラー構成となるため、任意の電圧側で、任意の電流を供給するカレントステアリング動作を行うことになる。
【００４９】
これにより、出力電流源は常に、出力端子１１２、又は任意の電圧へ電流を出し続けるため、トランジスタTr11と、トランジスタTr13のソース電圧が変動せず、高速な電流のオン／オフ動作が実現可能となる。また、常に電流を出し続けるため、不要な電流スプリアスを、電源又は接地（グランド）に発生させず、周辺の回路へのアグレッサ（ノイズを発生する回路）とならないという利点がある。
【００５０】
なお、図２のタイミングチャートにおいて、スイッチSW11乃至SW14のオン／オフのタイミングであるが、説明の都合上、時刻t12や時刻t13等に、全てが同時に切り替えられるとして説明したが、実際には、スイッチSW11，SW12のオン／オフのタイミング、あるいはスイッチSW13，SW14のオン／オフのタイミングをわずかにずらすことで、スイッチSW11，SW12が同時にオン、あるいはスイッチSW13，SW14が同時にオンすることによる電荷の流出を抑えている。
【００５１】
このように、吸込型のチャージポンプ回路１００Ａにおいては、カレントミラー元のトランジスタを、Ｎ個の縦積みされたトランジスタTr15-1乃至Tr15-Nと、トランジスタTr12とから構成し、出力電流源側を、Ｎ個の縦積みされたトランジスタTr14-1乃至Tr14-Nと、出力側にドレイン接続されたトランジスタTr11と、当該トランジスタTr11とソースを共通にし、任意の電圧（VA）とドレイン接続されたトランジスタTr13により構成されるようにしている。このような構成を採用することで、回路内に配置する容量値（容量C11の容量値）を小さくすることができるため、結果として回路面積を削減することができる。
【００５２】
（第２の構成の回路図）
図３は、第１の実施の形態のチャージポンプ回路の第２の構成の例を示す回路図である。
【００５３】
図３において、供給型のチャージポンプ回路１００Ｂは、定電流回路１２１、トランジスタTr21，Tr22，Tr23，Tr24-1乃至Tr24-N，Tr25-1乃至Tr25-N，スイッチSW21乃至SW24，及び容量C21を含む。なお、トランジスタTr21，Tr22，Tr23，Tr24-1乃至Tr24-N，Tr25-1乃至Tr25-Nは、例えば、P型のMOSトランジスタとして構成することができる。
【００５４】
トランジスタTr21は、ドレインが出力端子１２２に接続され、ソースがトランジスタTr23のソースに接続され、ゲートが、スイッチSW21，SW22に接続される。また、トランジスタTr21のソース側には、Ｎ個（Ｎ：１以上の整数）の縦積みされたトランジスタTr24-1乃至Tr24-Nが接続される。
【００５５】
トランジスタTr22は、ドレインが、定電流回路１２１に接続される。また、トランジスタTr22のゲートは、ドレインとスイッチSW21にそれぞれ接続される。さらに、トランジスタTr22のソース側には、Ｎ個（Ｎ：１以上の整数）の縦積みされたトランジスタTr25-1乃至Tr25-Nが接続され、そのゲートの全てが、トランジスタTr22のゲートに接続される。
【００５６】
トランジスタTr23は、ドレインが電圧源（任意の電圧VA）に接続され、ソースがトランジスタTr21のソースに接続され、ゲートが、スイッチSW23，SW24に接続される。また、トランジスタTr23のソース側には、Ｎ個の縦積みされたトランジスタTr24-1乃至Tr24-Nが接続される。
【００５７】
トランジスタTr24-1乃至Tr24-Nは、トランジスタTr21，Tr23のソース側に、縦続にＮ個配置され、そのゲートの全てが、トランジスタTr22のゲートと接続される。なお、縦積みされたトランジスタTr24-1乃至Tr24-Nのうち、Ｎ個目のトランジスタTr24-Nのソースは、電源ノードに接続される。
【００５８】
トランジスタTr25-1乃至Tr25-Nは、トランジスタTr22のソース側に、縦続にＮ個配置され、そのゲートの全てが、トランジスタTr22のゲートと接続される。なお、縦積みされたトランジスタTr25-1乃至Tr25-Nのうち、Ｎ個目のトランジスタTr25-Nのソースは、電源ノードに接続される。
【００５９】
ここで、供給型のチャージポンプ回路１００Ｂにおける、各トランジスタTrのサイズであるが、次の式（４）と、式（５）に示すような関係を有している。
【００６０】
Tr22 = Tr21 = Tr23       ・・・（４）
Tr25 = Tr24              ・・・（５）
【００６１】
すなわち、トランジスタTr21と、トランジスタTr22と、トランジスタTr23とは、同一のチャネル幅（Ｗ長）とチャネル長（Ｌ長）により構成される。また、トランジスタTr24-1乃至Tr24-Nと、トランジスタTr25-1乃至Tr25-Nとは、同一のチャネル幅（Ｗ長）とチャネル長（Ｌ長）により構成される。
【００６２】
スイッチSW21は、一方の端が、トランジスタTr21のゲートに接続され、他方の端が、トランジスタTr22のゲート及びトランジスタTr25-1乃至Tr25-Nのゲートに接続される。スイッチSW21は、そこに入力される制御信号に応じたスイッチング動作を行う。
【００６３】
スイッチSW22は、一方の端が、トランジスタTr21のゲートに接続され、他方の端が電源ノードに接続される。スイッチSW22は、そこに入力される制御信号に応じたスイッチング動作を行う。
【００６４】
スイッチSW23は、一方の端が、トランジスタTr23のゲートに接続され、他方の端が、トランジスタTr22のゲート及びトランジスタTr25-1乃至Tr25-Nのゲート、並びにトランジスタTr24-1乃至Tr24-Nのゲートに接続される。スイッチSW23は、そこに入力される制御信号に応じたスイッチング動作を行う。
【００６５】
スイッチSW24は、一方の端が、トランジスタTr23のゲートに接続され、他方の端が電源ノードに接続される。スイッチSW24は、そこに入力される制御信号に応じたスイッチング動作を行う。
【００６６】
容量C21は、一方電極が、トランジスタTr22のゲートとスイッチSW21との間の信号線に接続され、他方の電極が電源ノードに接続される。
【００６７】
（第２の構成の動作）
次に、図４のタイミングチャートを参照しながら、図３に示した供給型のチャージポンプ回路１００Ｂの動作を説明する。図４のＡ乃至Ｄには、スイッチSW21乃至SW24に入力される制御信号のレベルをそれぞれ示している。
【００６８】
図４においては、電流出力期間、すなわち、時刻t22乃至時刻t23に、スイッチSW21，SW24がオン状態となって、トランジスタTr21のゲートが、トランジスタTr22のゲート及びトランジスタTr25-1乃至Tr25-Nのゲートに電気的に接続されるとともに、トランジスタTr23のゲートが、電源ノードに接続される。
【００６９】
このようなスイッチング制御を行うことで、電流源をオンした状態では、トランジスタTr22及びトランジスタTr25-1乃至Tr25-Nと、トランジスタTr21及びトランジスタTr24-1乃至Tr24-Nとは、同一の構成となるため、カレントミラー動作を行い、意図した電流を出力することができる。
【００７０】
なお、電荷シェアによる注入（供給）の電流値減少を抑えるための容量値（容量C21の容量値）を、1 / (N + 1) にすることができる原理は、上述した内容と基本的に同様であるため、ここではその説明は省略する。ただし、ここでも、容量値を、1 / (N + 1) にすることで、回路面積を削減することができる。
【００７１】
一方で、図４においては、電流出力期間を除いた期間、すなわち、時刻t21乃至時刻t22と、時刻t23以降の期間に、スイッチSW22，SW23がオン状態となって、トランジスタTr21のゲートが、電源ノードに接続されるとともに、トランジスタTr23のゲートが、トランジスタTr22のゲート及びトランジスタTr25-1乃至Tr25-Nのゲート、並びにトランジスタTr24-1乃至Tr24-Nのゲートに電気的に接続される。
【００７２】
このようなスイッチング制御を行うことで、電流源をオフした状態では、トランジスタTr23及びトランジスタTr24-1乃至Tr24-Nが、トランジスタTr22及びトランジスタTr25-1乃至Tr25-Nとカレントミラー構成となるため、任意の電圧側で、任意の電流を供給するカレントステアリング動作を行うことになる。これにより、例えば、上述したように、高速な電流のオン／オフ動作を行うことが可能となる。
【００７３】
なお、図４のタイミングチャートにおいては、上述した図２のタイミングチャートと同様に、スイッチSW21，SW22（又はスイッチSW23，SW24）のオン／オフのタイミングをわずかにずらすことで、スイッチSW21，SW22（又はスイッチSW23，SW24）が同時にオンすることによる電荷の流出を抑制することが可能となる。
【００７４】
以上、供給型のチャージポンプ回路１００Ｂの構成と動作を説明した。
【００７５】
（第３の構成の回路図）
図５は、第１の実施の形態のチャージポンプ回路の第３の構成の例を示す回路図である。
【００７６】
図５に示すように、吸込・供給一体型のチャージポンプ回路１００Ｃは、吸込型のチャージポンプ回路１００Ａ（図１）と、供給型のチャージポンプ回路１００Ｂ（図３）とが一体化されたチャージポンプ回路である。
【００７７】
図５において、吸込・供給一体型のチャージポンプ回路１００Ｃは、定電流回路１３１、トランジスタTr31，Tr32，Tr33，Tr34-1乃至Tr34-N，Tr35-1乃至Tr35-N，スイッチSW31乃至SW34，及び容量C31、並びに定電流回路１３２、トランジスタTr36，Tr37，Tr38，Tr39-1乃至Tr39-M，Tr310-1乃至Tr310-M，スイッチSW35乃至SW38，及び容量C32を含む。
【００７８】
吸込・供給一体型のチャージポンプ回路１００Ｃにおいて、定電流回路１３１、トランジスタTr31，Tr32，Tr33，Tr34-1乃至Tr34-N，Tr35-1乃至Tr35-N，スイッチSW31乃至SW34，及び容量C31は、吸込型のチャージポンプ回路１００Ａ（図１）の定電流回路１１１、トランジスタTr11，Tr12，Tr13，Tr14-1乃至Tr14-N，Tr15-1乃至Tr15-N，スイッチSW11乃至SW14，及び容量C11に対応している。
【００７９】
また、吸込・供給一体型のチャージポンプ回路１００Ｃにおいて、定電流回路１３２、トランジスタTr36，Tr37，Tr38，Tr39-1乃至Tr39-M，Tr310-1乃至Tr310-M，スイッチSW35乃至SW38，及び容量C32は、供給型のチャージポンプ回路１００Ｂ（図３）の定電流回路１２１、トランジスタTr21，Tr22，Tr23，Tr24-1乃至Tr24-N，Tr25-1乃至Tr25-N，スイッチSW21乃至SW24，及び容量C21に対応している。
【００８０】
さらに、吸込・供給一体型のチャージポンプ回路１００Ｃにおいて、出力端子１３３は、吸込型のチャージポンプ回路１００Ａ（図１）の出力端子１１２、又は供給型のチャージポンプ回路１００Ｂ（図３）の出力端子１２２に対応している。
【００８１】
すなわち、吸込・供給一体型のチャージポンプ回路１００Ｃは、吸込型側の素子として、トランジスタTr31，Tr32，Tr33，Tr34-1乃至Tr34-N，Tr35-1乃至Tr35-N，スイッチSW31乃至SW34，及び容量C31を含み、供給型側の素子として、トランジスタTr36，Tr37，Tr38，Tr39-1乃至Tr39-M，Tr310-1乃至Tr310-M，スイッチSW35乃至SW38，及び容量C32を含んでいる。
【００８２】
なお、吸込・供給一体型のチャージポンプ回路１００Ｃにおける、吸込型側と供給型側の各トランジスタTrのサイズであるが、次の式（６）乃至式（９）に示すような関係を有している。
【００８３】
Tr32 = Tr31 = Tr33       ・・・（６）
Tr35 = Tr34              ・・・（７）
Tr37 = Tr36 = Tr38       ・・・（８）
Tr310 = Tr39             ・・・（９）
【００８４】
すなわち、トランジスタTr31と、トランジスタTr32と、トランジスタTr33とは、同一のチャネル幅（Ｗ長）とチャネル長（Ｌ長）により構成される。また、トランジスタTr34-1乃至Tr34-Nと、トランジスタTr35-1乃至Tr35-Nとは、同一のチャネル幅（Ｗ長）とチャネル長（Ｌ長）により構成される。
【００８５】
さらに、トランジスタTr36と、トランジスタTr37と、トランジスタTr38とは、同一のチャネル幅（Ｗ長）とチャネル長（Ｌ長）により構成される。また、トランジスタTr39-1乃至Tr39-Nと、トランジスタTr310-1乃至Tr310-Nとは、同一のチャネル幅（Ｗ長）とチャネル長（Ｌ長）により構成される。
【００８６】
（第３の構成の動作）
次に、図６のタイミングチャートを参照しながら、図５に示した吸込・供給一体型のチャージポンプ回路１００Ｃの動作を説明する。図６のＡ乃至Ｄには、吸込型側のスイッチSW31乃至SW34に入力される制御信号のレベルを示し、図６のＥ乃至Ｈには、供給型側のスイッチSW35乃至SW38に入力される制御信号のレベルを示している。
【００８７】
図６のＡ乃至Ｄにおいては、吸込型側の電流出力期間、すなわち、時刻t32乃至時刻t33に、スイッチSW31，SW34がオン状態となって、トランジスタTr31のゲートが、トランジスタTr32のゲート及びトランジスタTr35-1乃至Tr35-Nのゲートに電気的に接続されるとともに、トランジスタTr33のゲートが、接地ノードに接続される。
【００８８】
一方で、図６のＡ乃至Ｄにおいて、吸込型側の電流出力期間を除いた期間、すなわち、時刻t31乃至時刻t32と、時刻t33以降の期間に、スイッチSW32，SW33がオン状態となって、トランジスタTr31のゲートが、接地ノードに接続されるとともに、トランジスタTr33のゲートが、トランジスタTr32のゲート及びトランジスタTr35-1乃至Tr35-Nのゲート、並びにトランジスタTr34-1乃至Tr34-Nのゲートに電気的に接続される。
【００８９】
また、図６のＥ乃至Ｈにおいては、供給型側の電流出力期間、すなわち、時刻t36乃至時刻t37に、スイッチSW35，SW38がオン状態となって、トランジスタTr36のゲートが、トランジスタTr37のゲート及びトランジスタTr310-1乃至Tr310-Nのゲートに電気的に接続されるとともに、トランジスタTr38のゲートが、電源ノードに接続される。
【００９０】
一方で、図６のＥ乃至Ｈにおいては、供給型側の電流出力期間を除いた期間、すなわち、時刻t35乃至時刻t36と、時刻t37以降の期間に、スイッチSW36，SW37がオン状態となって、トランジスタTr36のゲートが、電源ノードに接続されるとともに、トランジスタTr38のゲートが、トランジスタTr37のゲート及びトランジスタTr310-1乃至Tr310-Nのゲート、並びにトランジスタTr39-1乃至Tr39-Nのゲートに電気的に接続される。
【００９１】
なお、動作の詳細な内容や、1 / (N + 1) となる容量値（容量C31，C32の容量値）を配置して電荷シェアによる吸い込み又は供給（注入）の電流値減少を抑制する原理は、上述した内容と基本的に同様であるため、ここではその説明は省略する。
【００９２】
以上、吸込・供給一体型のチャージポンプ回路１００Ｃの構成と動作を説明した。
【００９３】
＜２．第２の実施の形態＞
【００９４】
第２の実施の形態においては、チャージポンプ回路２００として、ゲートスイッチング型の構成を採用した場合に、電荷キャンセル機構を設けた構成を説明する。以下の説明では、吸込型のチャージポンプ回路２００Ａ、供給型のチャージポンプ回路２００Ｂ、及び吸込・供給一体型のチャージポンプ回路２００Ｃにおける構成と動作を順に説明する。
【００９５】
（第１の構成の回路図）
図７は、第２の実施の形態のチャージポンプ回路の第１の構成の例を示す回路図である。
【００９６】
図７において、吸込型のチャージポンプ回路２００Ａは、電流源トランジスタTr41，スイッチSW41乃至SW44，及び容量C41を含む。
【００９７】
電流源トランジスタTr41は、例えば、N型のMOSトランジスタとして構成される。電流源トランジスタTr41においては、ドレインが出力端子２１１に接続され、ソースが接地ノードに接続され、ゲートが、スイッチSW41，SW42に接続される。
【００９８】
スイッチSW41は、一方の端が、電流源トランジスタTr41のゲートに接続され、他方の端が、入力端子２１２からの電圧V1が印加された信号線L41に接続される。スイッチSW41は、そこに入力される制御信号に応じたスイッチング動作を行う。スイッチSW41は、オン状態となったときに、電流源トランジスタTr41のゲートを、信号線L41に電気的に接続する。
【００９９】
スイッチSW42は、一方の端が、電流源トランジスタTr41のゲートに接続され、他方の端が接地ノードに接続される。スイッチSW42は、そこに入力される制御信号に応じたスイッチング動作を行う。スイッチSW42は、オン状態となったときに、電流源トランジスタTr41のゲートを、接地ノードに接続する。
【０１００】
ここで、吸込型のチャージポンプ回路２００Ａにおいては、このようなゲートスイッチング型の構成に対し、電荷キャンセル機構を設けることで、電流値の減少を抑えるための容量（十分に大きな容量）を不要にしている（あるいは容量が小さくなるようにしている）。すなわち、この電荷キャンセル機構では、スイッチSW41と入力端子２１２との間の信号線L41（カレントミラー元側）に対し、容量C41を設けて、この容量C41の接続先の電位を、スイッチSW43，SW44によって、任意に切り替えるようにする。
【０１０１】
より具体的には、電荷キャンセル機構は、次のように構成される。すなわち、容量C41は、一方の電極が信号線L41に接続され、他方の電極がスイッチSW43，SW44に接続される。
【０１０２】
スイッチSW43は、一方の端が、容量C41（の他方の電極）とスイッチSW44との間に接続され、他方の端が、入力端子２１３からの電圧VA-V1が印加された信号線L43に接続される。スイッチSW43は、そこに入力される制御信号に応じたスイッチング動作を行う。スイッチSW43は、オン状態となったときに、容量C41（の他方の電極）を、信号線L43に電気的に接続する。
【０１０３】
スイッチSW44は、一方の端が、容量C41（の他方の電極）に接続され、他方の端が、電圧源による任意の電圧VAが印加された信号線L42に接続される。スイッチSW44は、そこに入力される制御信号に応じたスイッチング動作を行う。スイッチSW44は、オン状態となったときに、容量C41（の他方の電極）を、信号線L42に電気的に接続する。
【０１０４】
ここで、電荷キャンセル機構においては、入力端子２１２に接続された信号線L41に印加される電圧を、電圧V1とし、電圧源に接続された信号線L42に印加される電圧を、電圧VAとしたときに、入力端子２１３に接続された信号線L43に印加される電圧が、電圧VAと電圧V1との差電圧である電圧VA-V1とされる。すなわち、容量C41（の他方の電極）の接続先の任意に切り替え可能な電圧として、一方の電圧が電圧VAとされ、他方の電圧が電圧VA-V1とされる。
【０１０５】
このとき、容量C41の大きさを、電流源トランジスタTr41のゲートノードに依存する寄生容量成分と同値にすることによって、ゲート側の寄生容量への電荷シェア分が、容量C41の接続先が電位変化（ΔV=V1）することで、発生するカレントミラーへの電荷注入が等しくなり、電荷シェアによる吸い込みの電流値減少を原理的に抑えることができる。
【０１０６】
これは、従来のゲートスイッチング型のチャージポンプ回路の構成では、電流源ゲート側の寄生容量に対して、十分に大きな容量値を配置する必要があったのに対し、寄生容量と同等の容量と配置するだけでよいことを意味し、結果として回路面積の削減を可能にするものである。
【０１０７】
（第１の構成の動作）
次に、図８のタイミングチャートを参照しながら、図７に示した吸込型のチャージポンプ回路２００Ａの動作を説明する。図８のＡ乃至Ｄには、スイッチSW41乃至SW44に入力される制御信号のレベルをそれぞれ示しており、各スイッチSWは、Hレベル又はLレベルの制御信号に従い、スイッチング動作を行う。
【０１０８】
図８においては、時刻t42乃至時刻t43が、出力端子２１１から電流を出力する期間である電流出力期間となっている。この電流出力期間においては、スイッチSW41，SW44がオン状態となって、電流源トランジスタTr41のゲートが、電圧V1が印加された信号線L41に電気的に接続されるとともに、信号線L41に接続される容量C41（の他方の電極）が、電圧VAが印加された信号線L42に電気的に接続される。
【０１０９】
一方で、図８において、電流出力期間を除いた期間、すなわち、時刻t41乃至時刻t42と、時刻t43以降の期間では、スイッチSW42，SW43がオン状態となって、電流源トランジスタTr41のゲートが、接地ノードに接続されるとともに、容量C41（の他方の電極）が、電圧VA-V1が印加された信号線L43に電気的に接続される。
【０１１０】
ここでは、スイッチSW41，SW42を排他制御するとともに、スイッチSW43，SW44を排他制御することで、電流出力期間になるときに、容量C41の接続先が、電圧VA-V1が印加された信号線L43から、電圧VAが印加された信号線L42に切り替わって、電位変化（ΔV=V1）が発生し、シェア電荷を、電荷キャンセル機構（の容量C41）側からチャージすることができるため、電荷シェアによる吸い込みの電流値減少を抑制することができる。
【０１１１】
なお、図８のタイミングチャートにおいて、スイッチSW41乃至SW44のオン／オフのタイミングであるが、説明の都合上、時刻t42や時刻t43等に、全てが同時に切り替えられるとして説明したが、実際には、スイッチSW41，SW42のオン／オフのタイミング、あるいはスイッチSW43，SW44のオン／オフのタイミングをわずかにずらすことで、スイッチSW41，SW42が同時にオン、あるいはスイッチSW43，SW44が同時にオンすることによる電荷の流出を抑えている。
【０１１２】
このように、吸込型のチャージポンプ回路２００Ａにおいては、電荷キャンセル機構を設けることで、電流源のゲートノードにある寄生容量への電荷シェアで発生する吸い込みの電流値減少を原理的に抑えることができる。その際に、容量C41として、寄生容量と同等の容量を配置すればよいため、結果として回路面積を削減することができる。
【０１１３】
例えば、上述した特許文献１に開示されているように、供給（注入）又は吸い込み時に電流源をオンさせるとき、電流源トランジスタのゲートに存在する容量成分への電荷シェアが発生するため、出力電流が本来のカレントミラーで得られる電流値よりも減少することになる。これを抑えるためには、スイッチの手前に十分に大きな容量を配置する必要があって、回路面積が増大してしまうことは先に述べた通りである。なお、電流源トランジスタは、一般的にチャネル長（Ｌ長）を太く使用することが多く、ゲート側から見える容量は大きく、ここでは、この容量値よりも大きな容量を配置する必要がある。
【０１１４】
それに対し、吸込型のチャージポンプ回路２００Ａでは、ゲートスイッチング型の構成に対し、電荷キャンセル機構を設ける際に、電流源トランジスタTr41のゲートノードの寄生容量と同等の容量C41を配置するだけでよいため、回路面積を削減することができる。これにより、ゲートスイッチング型のチャージポンプ回路２００Ａでは、リーク電流の低減と低電圧動作を可能にしつつ、回路面積を削減することが可能となる。
【０１１５】
（第２の構成の回路図）
図９は、第２の実施の形態のチャージポンプ回路の第２の構成の例を示す回路図である。
【０１１６】
図９において、供給型のチャージポンプ回路２００Ｂは、電流源トランジスタTr51，スイッチSW51乃至SW54，及び容量C51を含む。
【０１１７】
電流源トランジスタTr51は、例えば、P型のMOSトランジスタとして構成される。電流源トランジスタTr51においては、ドレインが出力端子２２１に接続され、ソースが電源ノードに接続され、ゲートが、スイッチSW51，SW52に接続されている。
【０１１８】
スイッチSW51は、一方の端が、電流源トランジスタTr51のゲートに接続され、他方の端が、入力端子２２２からの電圧Vdd-V1が印加された信号線L51に接続される。スイッチSW51は、そこに入力される制御信号に応じたスイッチング動作を行う。スイッチSW51は、オン状態となったときに、電流源トランジスタTr51のゲートを、信号線L51に電気的に接続する。
【０１１９】
スイッチSW52は、一方の端が、電流源トランジスタTr51のゲートに接続され、他方の端が、電源ノードに接続される。スイッチSW52は、そこに入力される制御信号に応じたスイッチング動作を行い、オン状態となったときに、電流源トランジスタTr51のゲートを、電源ノードに接続する。
【０１２０】
ここで、供給型のチャージポンプ回路２００Ｂにおいては、このようなゲートスイッチング型の構成に対し、電荷キャンセル機構として、容量C51を設けて、この容量C51の接続先の電位を、スイッチSW53，SW54によって、任意に切り替えられるようにしている。
【０１２１】
より具体的には、電荷キャンセル機構は、次のように構成される。すなわち、容量C51は、一方の電極が信号線L51に接続され、他方の電極がスイッチSW53，SW54に接続される。
【０１２２】
スイッチSW53は、一方の端が、容量C51（の他方の電極）とスイッチSW54との間に接続され、他方の端が、入力端子２２３からの電圧VA+V1が印加された信号線L53に接続される。スイッチSW53は、そこに入力される制御信号に応じたスイッチング動作を行い、オン状態になったときに、容量C51（の他方の電極）を、信号線L53に接続する。
【０１２３】
スイッチSW54は、一方の端が、容量C51（の他方の電極）に接続され、他方の端が、電圧源による任意の電圧VAが印加された信号線L52に接続される。スイッチSW54は、そこに入力される制御信号に応じたスイッチング動作を行い、オン状態となったときに、容量C51（の他方の電極）を、信号線L52に接続する。
【０１２４】
ここで、電荷キャンセル機構においては、入力端子２２２に接続された信号線L51に印加される電圧を、電圧Vdd-V1とし、電圧源に接続された信号線L52に印加される電圧を、電圧VAとしたときに、入力端子２２３に接続された信号線L53に印加される電圧が、電圧VAと電圧V1との和電圧である電圧VA+V1とされている。すなわち、容量C51（の他方の電極）の接続先の任意に切り替え可能な電圧として、一方の電圧が電圧VAとされ、他方の電圧が電圧VA+V1とされる。
【０１２５】
なお、容量C51として、電流源トランジスタTr51のゲートノードの寄生容量と同等の容量を配置して、電荷シェアによる供給（注入）の電流値減少を抑制する原理は、上述した内容と基本的に同様であるため、ここではその説明は省略する。ただし、ここでも、電荷キャンセル機構として、寄生容量と同等の容量C51を配置することで、回路面積を削減することができる。
【０１２６】
（第２の構成の動作）
次に、図１０のタイミングチャートを参照しながら、図９に示した供給型のチャージポンプ回路２００Ｂの動作を説明する。図１０のＡ乃至Ｄには、スイッチSW51乃至SW54に入力される制御信号のレベル（Hレベル、Lレベル）をそれぞれ示している。
【０１２７】
図１０においては、電流出力期間、すなわち、時刻t52乃至時刻t53に、スイッチSW51，SW54がオン状態となって、電流源トランジスタTr51のゲートが、電圧Vdd-V1が印加された信号線L51に電気的に接続されるとともに、信号線L51に接続される容量C51（の他方の電極）が、電圧VAが印加された信号線L52に電気的に接続される。
【０１２８】
一方で、図１０において、電流出力期間を除いた期間、すなわち、時刻t51乃至時刻t52と、時刻t53以降の期間に、スイッチSW52，SW53がオン状態となって、電流源トランジスタTr51のゲートが、電源ノードに接続されるとともに、容量C51（の他方の電極）が、電圧VA+V1が印加された信号線L53に電気的に接続される。
【０１２９】
ここでは、スイッチSW51，SW52を排他制御するとともに、スイッチSW53，SW54を排他制御することで、電流出力期間になるときに、容量C51の接続先が、電圧VA+V1が印加された信号線L53から、電圧VAが印加された信号線L52に切り替わって、電位変化（ΔV=V1）が発生し、シェア電荷を、電荷キャンセル機構（の容量C51）側からチャージすることができるため、電荷シェアによる供給（注入）の電流値減少を抑制することができる。
【０１３０】
なお、図１０のタイミングチャートにおいては、上述した図８のタイミングチャートと同様に、スイッチSW51，SW52（又はスイッチSW53，SW54）のオン／オフのタイミングをわずかにずらすことで、スイッチSW51，SW52（又はスイッチSW53，SW54）が同時にオンすることによる電荷の流出を抑制することが可能となる。
【０１３１】
以上、供給型のチャージポンプ回路２００Ｂの構成と動作を説明した。
【０１３２】
（第３の構成の回路図）
図１１は、第２の実施の形態のチャージポンプ回路の第３の構成の例を示す回路図である。
【０１３３】
図１１に示すように、吸込・供給一体型のチャージポンプ回路２００Ｃは、吸込型のチャージポンプ回路２００Ａ（図７）と、供給型のチャージポンプ回路２００Ｂ（図９）とが一体化されたチャージポンプ回路である。
【０１３４】
図１１において、吸込・供給一体型のチャージポンプ回路２００Ｃは、電流源トランジスタTr61，スイッチSW61乃至SW64，及び容量C61，並びに電流源トランジスタTr62，スイッチSW65乃至SW68，及び容量C62を含む。
【０１３５】
吸込・供給一体型のチャージポンプ回路２００Ｃにおいて、電流源トランジスタTr61，スイッチSW61乃至SW64，及び容量C61は、吸込型のチャージポンプ回路２００Ａ（図７）の電流源トランジスタTr41，スイッチSW41乃至SW44，及び容量C41に対応している。
【０１３６】
また、吸込・供給一体型のチャージポンプ回路２００Ｃにおいて、電流源トランジスタTr62，スイッチSW65乃至SW68，及び容量C62は、供給型のチャージポンプ回路２００Ｂ（図９）の電流源トランジスタTr51，スイッチSW51乃至SW54，及び容量C51に対応している。
【０１３７】
さらに、吸込・供給一体型のチャージポンプ回路２００Ｃにおいて、出力端子２３１は、出力端子２１１（図７）又は出力端子２２１（図９）に対応し、入力端子２３２，２３３は、入力端子２１２，２１３（図７）に対応し、入力端子２３４，２３５は、入力端子２２２，２２３（図９）に対応している。
【０１３８】
すなわち、吸込・供給一体型のチャージポンプ回路２００Ｃにおいては、吸込型側と供給型側のゲートスイッチング型の構成に対し、電荷キャンセル機構がそれぞれ設けられている。
【０１３９】
吸込型側の電荷キャンセル機構では、容量C61（の他方の電極）の接続先の任意に切り替え可能な電圧として、一方の電圧が電圧VAとされ、他方の電圧が電圧VA-V1とされる。また、供給型側の電荷キャンセル機構では、容量C62（の他方の電極）の接続先の任意に切り替え可能な電圧として、一方の電圧が電圧VBとされ、他方の電圧が電圧VB+V2とされる。
【０１４０】
（第３の構成の動作）
次に、図１２のタイミングチャートを参照しながら、図１１に示した吸込・供給一体型のチャージポンプ回路２００Ｃの動作を説明する。図１２のＡ乃至Ｄには、吸込型側のスイッチSW61乃至SW64に入力される制御信号のレベルを示し、図１２のＥ乃至Ｈには、供給型側のスイッチSW65乃至SW68に入力される制御信号のレベルを示している。
【０１４１】
図１２のＡ乃至Ｄにおいては、吸込型側の電流出力期間、すなわち、時刻t62乃至時刻t63に、スイッチSW61，SW64がオン状態となって、電流源トランジスタTr61のゲートが、電圧V1が印加された信号線L61に電気的に接続されるとともに、容量C61（の他方の電極）が、電圧VAが印加された信号線L62に電気的に接続される。
【０１４２】
一方で、図１２のＡ乃至Ｄにおいて、吸込型側の電流出力期間を除いた期間、すなわち、時刻t61乃至時刻t62と、時刻t63以降の期間に、スイッチSW62，SW63がオン状態となって、電流源トランジスタTr61のゲートが、接地ノードに接続されるとともに、容量C61（の他方の電極）が、電圧VA-V1が印加された信号線L63に電気的に接続される。
【０１４３】
また、図１２のＥ乃至Ｈにおいては、供給型側の電流出力期間、すなわち、時刻t66乃至時刻t67に、スイッチSW65，SW68がオン状態となって、電流源トランジスタTr62のゲートが、電圧Vdd-V2が印加された信号線L64に電気的に接続されるとともに、容量C62（の他方の電極）が、電圧VBが印加された信号線L65に電気的に接続される。
【０１４４】
一方で、図１２のＥ乃至Ｈにおいて、供給型側の電流出力期間を除いた期間、すなわち、時刻t65乃至時刻t66と、時刻t67以降の期間に、スイッチSW66，SW67がオン状態となって、電流源トランジスタTr62のゲートが、電源ノードに電気的に接続されるとともに、容量C62（の他方の電極）が、電圧VB+V2が印加された信号線L66に電気的に接続される。
【０１４５】
なお、動作の詳細な内容や、容量C61，C62を配置して電荷シェアによる吸い込み又は供給（注入）の電流値減少を抑制する原理は、上述した内容と基本的に同様であるため、ここではその説明は省略する。
【０１４６】
以上、吸込・供給一体型のチャージポンプ回路２００Ｃの構成と動作を説明した。
【０１４７】
＜３．第３の実施の形態＞
【０１４８】
第３の実施の形態においては、チャージポンプ回路３００として、ゲートスイッチング型の構成を採用し、上述の第２の実施の形態と同様に、電荷キャンセル機構を設けた場合に、具体的な電位の生成手段を含む構成を説明する。以下の説明では、吸込型のチャージポンプ回路３００Ａ、供給型のチャージポンプ回路３００Ｂ、及び吸込・供給一体型のチャージポンプ回路３００Ｃにおける構成と動作を順に説明する。
【０１４９】
（第１の構成の回路図）
図１３は、第３の実施の形態のチャージポンプ回路の第１の構成の例を示す回路図である。
【０１５０】
図１３において、吸込型のチャージポンプ回路３００Ａは、吸込型のチャージポンプ回路２００Ａ（図７）と基本的に同様に構成されるが、電位の生成手段を含む点が異なる。
【０１５１】
すなわち、吸込型のチャージポンプ回路３００Ａにおいては、吸込型のチャージポンプ回路２００Ａ（図７）と比べて、入力端子２１２の代わりに、定電流回路３１２及びトランジスタTr72が設けられ、入力端子２１３の代わりに、定電流回路３１３及びトランジスタTr73が設けられている。
【０１５２】
トランジスタTr72，Tr73は、例えば、N型のMOSトランジスタとして構成される。なお、図１３において、出力端子３１１は、出力端子２１１（図７）に対応し、信号線L71乃至L73は、信号線L41乃至L43（図７）に対応している。
【０１５３】
トランジスタTr72は、ゲート及びドレインが、定電流回路３１２に接続され、ソースが接地ノードに接続される。また、トランジスタTr72のゲートは、信号線L71に接続される。定電流回路３１２によって、トランジスタTr72のドレイン側に、一定の電流を供給することで、信号線L71に対し、電圧V1を印加することができる。
【０１５４】
トランジスタTr73は、ゲート及びドレインが、電圧VAが印加された信号線L72に接続され、ソース側に、定電流回路３１３が接続される。定電流回路３１３によって、トランジスタTr73のソース側に、一定の電流を供給することで、信号線L73に対し、電圧VAと電圧V1との差電圧である電圧VA-V1を印加することができる。
【０１５５】
なお、吸込型のチャージポンプ回路３００Ａにおいて、電流源トランジスタTr71，スイッチSW71乃至SW74，及び容量C71は、吸込型のチャージポンプ回路２００Ａ（図７）の電流源トランジスタTr41，スイッチSW41乃至SW44，及び容量C41と同様に構成されるため、その説明は省略する。
【０１５６】
（第１の構成の動作）
図１４は、図１３のチャージポンプ回路３００Ａの動作を説明するためのタイミングチャートである。このチャージポンプ回路３００ＡのスイッチSW71乃至SW74のスイッチング動作は、図８のタイミングチャートに示したチャージポンプ回路２００Ａ（図７）のスイッチSW41乃至SW44の動作と同様であるため、ここでは、その説明は省略する。
【０１５７】
このように、吸込型のチャージポンプ回路３００Ａにおいては、電荷キャンセル機構を設けるに際して、任意の電圧VAに、ゲート及びドレインが接続されたトランジスタTr73に対し、カレントミラーを構成しているトランジスタTr72と同一の電流密度となるように、定電流回路３１３から定電流を供給することで、電位（VA-V1）を生成可能であり、簡単な回路構成（非常に少ない素子）で、所望の電位を得ることができる。
【０１５８】
（第２の構成の回路図）
図１５は、第３の実施の形態のチャージポンプ回路の第２の構成の例を示す回路図である。
【０１５９】
図１５において、供給型のチャージポンプ回路３００Ｂは、供給型のチャージポンプ回路２００Ｂ（図９）と基本的に同様に構成されるが、電位の生成手段を含む点が異なる。
【０１６０】
すなわち、供給型のチャージポンプ回路３００Ｂにおいては、供給型のチャージポンプ回路２００Ｂ（図９）と比べて、入力端子２２２の代わりに、定電流回路３２２及びトランジスタTr82が設けられ、入力端子２２３の代わりに、定電流回路３２３及びトランジスタTr83が設けられている。
【０１６１】
トランジスタTr82，Tr83は、例えば、P型のMOSトランジスタとして構成される。また、図１５において、出力端子３２１は、出力端子２２１（図９）に対応し、信号線L81乃至L83は、信号線L51乃至L53（図９）に対応している。
【０１６２】
トランジスタTr82は、ゲート及びドレインが、定電流回路３２２に接続され、ソースが電源ノードに接続される。また、トランジスタTr82のゲートは、信号線L81に接続される。定電流回路３２２によって、トランジスタTr82のドレイン側に、一定の電流を供給することで、信号線L81に対し、電圧Vdd-V1を印加することができる。
【０１６３】
トランジスタTr83は、ゲート及びドレインが、電圧VAが印加された信号線L82に接続され、ソース側に、定電流回路３２３が接続される。定電流回路３２３によって、トランジスタTr83のソース側に、一定の電流を供給することで、信号線L83に対し、電圧VAと電圧V1との和電圧である電圧VA+V1を印加することができる。
【０１６４】
なお、供給型のチャージポンプ回路３００Ｂにおいて、電流源トランジスタTr81，スイッチSW81乃至SW84，及び容量C81は、供給型のチャージポンプ回路２００Ｂ（図９）の電流源トランジスタTr51，スイッチSW51乃至SW54，及び容量C51と同様に構成されるため、その説明は省略する。
【０１６５】
（第２の構成の動作）
図１６は、図１５のチャージポンプ回路３００Ｂの動作を説明するためのタイミングチャートである。このチャージポンプ回路３００ＢのスイッチSW81乃至SW84のスイッチング動作は、図１０のタイミングチャートに示したチャージポンプ回路２００Ｂ（図９）のスイッチSW51乃至SW54の動作と同様であるため、ここでは、その説明は省略する。
【０１６６】
以上、供給型のチャージポンプ回路３００Ｂの構成と動作について説明した。
【０１６７】
（第３の構成の回路図）
図１７は、第３の実施の形態のチャージポンプ回路の第３の構成の例を示す回路図である。
【０１６８】
図１７において、吸込・供給一体型のチャージポンプ回路３００Ｃは、吸込・供給一体型のチャージポンプ回路２００Ｃ（図１１）と基本的に同様に構成されるが、電位の生成手段を含む点が異なる。
【０１６９】
すなわち、吸込・供給一体型のチャージポンプ回路３００Ｃにおいては、吸込・供給一体型のチャージポンプ回路２００Ｃ（図１１）と比べて、吸込型側の入力端子２３２と入力端子２３３の代わりに、定電流回路３３２及びトランジスタTr92と、定電流回路３３３及びトランジスタTr93がそれぞれ設けられている。
【０１７０】
また、供給型側の入力端子２３４と入力端子２３５の代わりに、定電流回路３３４及びトランジスタTr95と、定電流回路３３５及びトランジスタTr96がそれぞれ設けられている。さらに、図１７において、出力端子３３１は、出力端子２３１（図１１）に対応し、吸込型側の信号線L91乃至L93と、供給型側の信号線L94乃至L96は、吸込型側の信号線L61乃至L63（図１１）と、供給型側の信号線L64乃至L66（図１１）にそれぞれ対応している。
【０１７１】
吸込型側のトランジスタTr92は、ゲート及びドレインが、定電流回路３３２に接続され、ソースが接地ノードに接続される。また、トランジスタTr92のゲートは、信号線L91に接続される。定電流回路３３２によって、トランジスタTr92のドレイン側に、一定の電流を供給することで、信号線L91に対し、電圧V1を印加することができる。
【０１７２】
吸込型側のトランジスタTr93は、ゲート及びドレインが、電圧VAが印加された信号線L92に接続され、ソース側に、定電流回路３３３が接続される。定電流回路３３３によって、トランジスタTr93のソース側に、一定の電流を供給することで、信号線L93に対し、電圧VAと電圧V1との差電圧である電圧VA-V1を印加することができる。
【０１７３】
供給型側のトランジスタTr95は、ゲート及びドレインが、定電流回路３３４に接続され、ソースが電源ノードに接続される。また、トランジスタTr95のゲートは、信号線L94に接続される。定電流回路３３４によって、トランジスタTr95のドレイン側に、一定の電流を供給することで、信号線L94に対し、電圧Vdd-V2を印加することができる。
【０１７４】
供給型側のトランジスタTr96は、ゲート及びドレインが、電圧VBが印加された信号線L95に接続され、ソース側に、定電流回路３３５が接続される。定電流回路３３５によって、トランジスタTr96のソース側に、一定の電流を供給することで、信号線L96に対し、電圧VBと電圧V2との和電圧である電圧VB+V2を印加することができる。
【０１７５】
なお、吸込・供給一体型のチャージポンプ回路３００Ｃにおいて、吸込型側の電流源トランジスタTr91，スイッチSW91乃至SW94，及び容量C91と、供給型側の電流源トランジスタTr94，スイッチSW95乃至SW98，及び容量C92は、吸込・供給一体型のチャージポンプ回路２００Ｃ（図１１）の吸込型側の電流源トランジスタTr61，スイッチSW61乃至SW64，及び容量C61と、供給型側の電流源トランジスタTr62，スイッチSW65乃至SW68，及び容量C62と同様に構成されるため、その説明は省略する。
【０１７６】
（第３の構成の動作）
図１８は、図１７のチャージポンプ回路３００Ｃの動作を説明するためのタイミングチャートである。このチャージポンプ回路３００ＣのスイッチSW91乃至SW98のスイッチング動作は、図１２のタイミングチャートに示したチャージポンプ回路２００Ｃ（図１１）のスイッチSW61乃至SW68の動作と同様であるため、ここでは、その説明は省略する。
【０１７７】
以上、吸込・供給一体型のチャージポンプ回路３００Ｃの構成と動作を説明した。
【０１７８】
＜４．第４の実施の形態＞
【０１７９】
（構成の例）
図１９は、第４の実施の形態の電子回路システムの構成の例を示す図である。
【０１８０】
図１９において、電子回路システム１は、制御回路１０、及びチャージポンプ回路１００を含む。ただし、ここでは、チャージポンプ回路１００を一例に説明するが、チャージポンプ回路１００の代わりに、チャージポンプ回路２００又はチャージポンプ回路３００が設けられるようにしてもよい。
【０１８１】
電子回路システム１において、制御回路１０とチャージポンプ回路１００とは、制御線L1乃至Li（i：１以上の整数）を介して接続されている。例えば、チャージポンプ回路１００において、制御線L1乃至Liは、スイッチSW（例えば、図１のスイッチSW11乃至SW14）に接続されている。
【０１８２】
制御回路１０は、チャージポンプ回路１００のスイッチSWを制御するための制御信号（例えば、Hレベル又はLレベルの制御信号）を生成し、制御線L1乃至Liを介してチャージポンプ回路１００に供給する。チャージポンプ回路１００では、外部の制御回路１０からの制御信号に基づき、各スイッチSWがスイッチング動作を行うことで、電流放電のための電流吸い込みとして動作したり、あるいは充電電流を供給する電流源として動作したりする。
【０１８３】
＜５．変形例＞
【０１８４】
上述した第１の実施の形態乃至第３の実施の形態のチャージポンプ回路（１００，２００，３００）は、例えば、PLL(Phase Locked Loop)回路や、電流源をスイッチングする構成を有するDAC(Digital to Analog Converter)などに搭載することができる。
【０１８５】
ここで、例えば、チャージポンプ回路１００（２００，３００）を、位相比較器（PC：Phase Comparator）、チャージポンプ回路、ローパスフィルタ(LPF：Low Pass Filter)、及び電圧制御発振器（VCO：Voltage Controlled Oscillator）を含むPLL回路に搭載する場合を想定する。
【０１８６】
この場合において、チャージポンプ回路１００（２００，３００）は、その前段に設けられた位相比較器からの出力パルスに基づき、チャージポンプ動作を行う。チャージポンプ回路１００（２００，３００）の出力は、チャージポンプ回路１００（２００，３００）によって充電又は放電されるキャパシタを含むローパスフィルタに出力される。なお、ローパスフィルタのキャパシタの電圧は、電圧制御発振器の入力として加えられる。また、位相比較器は、入力信号と電圧制御発振器の出力との位相を比較している。
【０１８７】
なお、このようなPLL回路を、上述した電子回路システム１（図１９）として捉えれば、チャージポンプ回路１００（２００，３００）の前段に設けられる位相比較器が制御回路１０（図１９）に相当し、チャージポンプ回路１００（２００，３００）に対し、制御信号を入力するとも言える。
【０１８８】
なお、本技術の実施の形態は、上述した実施の形態に限定されるものではなく、本技術の要旨を逸脱しない範囲において種々の変更が可能である。
【０１８９】
また、本技術は、以下のような構成をとることができる。
【０１９０】
（１）
第１の端子、出力端子に接続される第２の端子、及び制御端子を含む第１のトランジスタと、
第１の端子、定電流が供給される第２の端子、及び当該第２の端子に接続される制御端子を含む第２のトランジスタと、
前記第１のトランジスタの第１の端子と接続される第１の端子、任意の電圧を供給する電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、接地ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、接地ノードに接続する第４のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が接地ノードに接続される
チャージポンプ回路。
（２）
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
前記（１）に記載のチャージポンプ回路。
（３）
一方電極が、前記第２のトランジスタの制御端子と前記第１のスイッチ素子との間の信号線に接続され、他方の電極が接地ノードに接続される容量素子をさらに備える
前記（１）又は（２）に記載のチャージポンプ回路。
（４）
第１の端子、出力端子に接続される第２の端子、及び制御端子を含む第１のトランジスタと、
第１の端子、定電流が供給される第２の端子、及び当該第２の端子に接続される制御端子を含む第２のトランジスタと、
前記第１のトランジスタの第１の端子と接続される第１の端子、任意の電圧を供給する電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、電源ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、電源ノードに接続する第４のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が電源ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が電源ノードに接続される
チャージポンプ回路。
（５）
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
前記（４）に記載のチャージポンプ回路。
（６）
一方電極が、前記第２のトランジスタの制御端子と前記第１のスイッチ素子との間の信号線に接続され、他方の電極が電源ノードに接続される容量素子をさらに備える
前記（４）又は（５）に記載のチャージポンプ回路。
（７）
第１の端子、出力端子に接続される第２の端子、及び制御端子を含む第１のトランジスタと、
第１の端子、第１の定電流が供給される第２の端子、及び当該第２の端子に接続される制御端子を含む第２のトランジスタと、
前記第１のトランジスタの第１の端子と接続される第１の端子、第１の電圧を供給する第１の電圧源に接続される第２の端子、及び制御端子を含む第３のトランジスタと、
前記第１のトランジスタの第１の端子側に、縦続にＮ個（Ｎ：１以上の整数）配置され、その制御端子の全てが前記第２のトランジスタの制御端子と接続される第４のトランジスタ群と、
前記第２のトランジスタの第１の端子側に、縦続にＮ個配置され、その制御端子の全てが前記第２のトランジスタの制御端子と接続される第５のトランジスタ群と、
前記第１のトランジスタの制御端子と、前記第２のトランジスタの制御端子とを電気的に接続する第１のスイッチ素子と、
前記第１のトランジスタの制御端子を、接地ノードに接続する第２のスイッチ素子と、
前記第３のトランジスタの制御端子と、前記第４のトランジスタ群及び前記第５のトランジスタ群の制御端子とを電気的に接続する第３のスイッチ素子と、
前記第３のトランジスタの制御端子を、接地ノードに接続する第４のスイッチ素子と、
第１の端子、出力端子に接続される第２の端子、及び制御端子を含む第６のトランジスタと、
第１の端子、第２の定電流が供給される第２の端子、及び当該第２の端子に接続される制御端子を含む第７のトランジスタと、
前記第６のトランジスタの第１の端子と接続される第１の端子、第２の電圧を供給する第２の電圧源に接続される第２の端子、及び制御端子を含む第８のトランジスタと、
前記第６のトランジスタの第１の端子側に、縦続にＭ個（Ｍ：１以上の整数）配置され、その制御端子の全てが前記第７のトランジスタの制御端子と接続される第９のトランジスタ群と、
前記第７のトランジスタの第１の端子側に、縦続にＭ個配置され、その制御端子の全てが前記第７のトランジスタの制御端子と接続される第１０のトランジスタ群と、
前記第６のトランジスタの制御端子と、前記第７のトランジスタの制御端子とを電気的に接続する第５のスイッチ素子と、
前記第６のトランジスタの制御端子を、電源ノードに接続する第６のスイッチ素子と、
前記第８のトランジスタの制御端子と、前記第９のトランジスタ群及び前記第１０のトランジスタ群の制御端子とを電気的に接続する第７のスイッチ素子と、
前記第８のトランジスタの制御端子を、電源ノードに接続する第８のスイッチ素子と
を備え、
前記第１のトランジスタは、前記第２のトランジスタと同一のチャネル幅及びチャネル長を有し、
前記第３のトランジスタは、前記第１のトランジスタ及び前記第２のトランジスタと同一のチャネル幅及びチャネル長を有し、
前記第４のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第５のトランジスタ群において、各トランジスタは、前記第２のトランジスタと同一のチャネル幅及びチャネル長を有するとともに、各トランジスタのうち、１つのトランジスタの第１の端子が接地ノードに接続され、
前記第６のトランジスタは、前記第７のトランジスタと同一のチャネル幅及びチャネル長を有し、
前記第８のトランジスタは、前記第６のトランジスタ及び前記第７のトランジスタと同一のチャネル幅及びチャネル長を有し、
前記第９のトランジスタ群において、各トランジスタは、前記第７のトランジスタと同一のチャネル幅及びチャネル長を有するとともに、各トランジスタのうち、１つのトランジスタの第１の端子が電源ノードに接続され、
前記第１０のトランジスタ群において、各トランジスタは、前記第７のトランジスタと同一のチャネル幅及びチャネル長を有するとともに、各トランジスタのうち、１つのトランジスタの第１の端子が電源ノードに接続される
チャージポンプ回路。
（８）
電流の吸い込み時に電流を出力する期間である第１の電流出力期間に、前記第１のスイッチ素子及び前記第４のスイッチ素子がオンされ、前記第２のスイッチ素子及び前記第３のスイッチ素子がオフされ、
前記第１の電流出力期間を除いた期間に、前記第１のスイッチ素子及び前記第４のスイッチ素子がオフされ、前記第２のスイッチ素子及び前記第３のスイッチ素子がオンされ、
電流の供給時に電流を出力する期間である第２の電流出力期間に、前記第５のスイッチ素子及び前記第８のスイッチ素子がオンされ、前記第６のスイッチ素子及び前記第７のスイッチ素子がオフされ、
前記第２の電流出力期間を除いた期間に、前記第５のスイッチ素子及び前記第８のスイッチ素子がオフされ、前記第６のスイッチ素子及び前記第７のスイッチ素子がオンされる
前記（７）に記載のチャージポンプ回路。
（９）
一方電極が、前記第２のトランジスタの制御端子と前記第１のスイッチ素子との間の信号線に接続され、他方の電極が接地ノードに接続される第１の容量素子と、
一方電極が、前記第７のトランジスタの制御端子と前記第５のスイッチ素子との間の信号線に接続され、他方の電極が電源ノードに接続される第２の容量素子と
をさらに備える前記（７）又は（８）に記載のチャージポンプ回路。
（１０）
前記第１のトランジスタ、前記第２のトランジスタ、前記第３のトランジスタ、前記第４のトランジスタ群、及び前記第５のトランジスタ群は、N型のMOSトランジスタを含み、
前記第６のトランジスタ、前記第７のトランジスタ、前記第８のトランジスタ、前記第９のトランジスタ群、及び前記第１０のトランジスタ群は、P型のMOSトランジスタを含み、
前記第１の端子はソースを含み、前記第２の端子はドレインを含み、前記制御端子はゲートを含む
前記（７）乃至（９）のいずれかに記載のチャージポンプ回路。
（１１）
接地ノードに接続される第１の端子、出力端子に接続される第２の端子、及び制御端子を含む電流源トランジスタと、
前記電流源トランジスタの制御端子を、第１の電圧が印加された第１の信号線に接続する第１のスイッチ素子と、
前記電流源トランジスタの制御端子を、接地ノードに接続する第２のスイッチ素子と、
一方の電極が前記第１の信号線に接続され、他方の電極が、第２の電圧が印加された第２の信号線、又は前記第２の電圧と前記第１の電圧との差電圧が印加された第３の信号線に接続可能な容量素子と、
前記容量素子の他方の電極を、前記第３の信号線に接続する第３のスイッチ素子と、
前記容量素子の他方の電極を、前記第２の信号線に接続する第４のスイッチ素子と
を備えるチャージポンプ回路。
（１２）
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
前記（１１）に記載のチャージポンプ回路。
（１３）
第１の端子、並びに前記第２の信号線に接続される第２の端子及び制御端子を含むトランジスタをさらに備え、
前記トランジスタの第１の端子側に定電流を供給することで、前記差電圧を、前記第３の信号線に印加する
前記（１１）又は（１２）に記載のチャージポンプ回路。
（１４）
電源ノードに接続される第１の端子、出力端子に接続される第２の端子、及び制御端子を含む電流源トランジスタと、
前記電流源トランジスタの制御端子を、電源電圧と第１の電圧との差電圧が印加された第１の信号線に接続する第１のスイッチ素子と、
前記電流源トランジスタの制御端子を、電源ノードに接続する第２のスイッチ素子と、
一方の電極が前記第１の信号線に接続され、他方の電極が、第２の電圧が印加された第２の信号線、又は前記第２の電圧と前記第１の電圧との和電圧が印加された第３の信号線に接続可能な容量素子と、
前記容量素子の他方の電極を、前記第３の信号線に接続する第３のスイッチ素子と、
前記容量素子の他方の電極を、前記第２の信号線に接続する第４のスイッチ素子と
を備えるチャージポンプ回路。
（１５）
電流を出力する期間である電流出力期間に、前記第１のスイッチ素子及び前記第４のスイッチ素子がオンされ、前記第２のスイッチ素子及び前記第３のスイッチ素子がオフされ、
前記電流出力期間を除いた期間に、前記第１のスイッチ素子及び前記第４のスイッチ素子がオフされ、前記第２のスイッチ素子及び前記第３のスイッチ素子がオンされる
前記（１４）に記載のチャージポンプ回路。
（１６）
第１の端子、並びに前記第２の信号線に接続される第２の端子及び制御端子を含むトランジスタをさらに備え、
前記トランジスタの第１の端子側に定電流を供給することで、前記和電圧を、前記第３の信号線に印加する
前記（１４）又は（１５）に記載のチャージポンプ回路。
（１７）
接地ノードに接続される第１の端子、出力端子に接続される第２の端子、及び制御端子を含む第１のトランジスタと、
前記第１のトランジスタの制御端子を、第１の電圧が印加された第１の信号線に接続する第１のスイッチ素子と、
前記第１のトランジスタの制御端子を、接地ノードに接続する第２のスイッチ素子と、
一方の電極が前記第１の信号線に接続され、他方の電極が、第２の電圧が印加された第２の信号線、又は前記第２の電圧と前記第１の電圧との差電圧が印加された第３の信号線に接続可能な第１の容量素子と、
前記第１の容量素子の他方の電極を、前記第３の信号線に接続する第３のスイッチ素子と、
前記第１の容量素子の他方の電極を、前記第２の信号線に接続する第４のスイッチ素子と、
電源ノードに接続される第１の端子、出力端子に接続される第２の端子、及び制御端子を含む第２のトランジスタと、
前記第２のトランジスタの制御端子を、電源電圧と第３の電圧との差電圧が印加された第４の信号線に接続する第５のスイッチ素子と、
前記第２のトランジスタの制御端子を、電源ノードに接続する第６のスイッチ素子と、
一方の電極が前記第４の信号線に接続され、他方の電極が、第４の電圧が印加された第５の信号線、又は前記第４の電圧と前記第３の電圧との和電圧が印加された第６の信号線に接続可能な第２の容量素子と、
前記第２の容量素子の他方の電極を、前記第６の信号線に接続する第７のスイッチ素子と、
前記第２の容量素子の他方の電極を、前記第５の信号線に接続する第８のスイッチ素子と
を備えるチャージポンプ回路。
（１８）
電流の吸い込み時に電流を出力する期間である第１の電流出力期間に、前記第１のスイッチ素子及び前記第４のスイッチ素子がオンされ、前記第２のスイッチ素子及び前記第３のスイッチ素子がオフされ、
前記第１の電流出力期間を除いた期間に、前記第１のスイッチ素子及び前記第４のスイッチ素子がオフされ、前記第２のスイッチ素子及び前記第３のスイッチ素子がオンされ、
電流の供給時に電流を出力する期間である第２の電流出力期間に、前記第５のスイッチ素子及び前記第８のスイッチ素子がオンされ、前記第６のスイッチ素子及び前記第７のスイッチ素子がオフされ、
前記第２の電流出力期間を除いた期間に、前記第５のスイッチ素子及び前記第８のスイッチ素子がオフされ、前記第６のスイッチ素子及び前記第７のスイッチ素子がオンされる
前記（１７）に記載のチャージポンプ回路。
（１９）
第１の端子、並びに前記第２の信号線に接続される第２の端子及び制御端子を含む第３のトランジスタと、
第１の端子、並びに前記第５の信号線に接続される第２の端子及び制御端子を含む第４のトランジスタと
をさらに備え、
前記第３のトランジスタの第１の端子側に第１の定電流を供給することで、前記差電圧を、前記第３の信号線に印加し、
前記第４のトランジスタの第１の端子側に第２の定電流を供給することで、前記和電圧を、前記第６の信号線に印加する
前記（１７）又は（１８）に記載のチャージポンプ回路。
（２０）
前記第１のトランジスタは、N型のMOSトランジスタを含み、
前記第２のトランジスタは、P型のMOSトランジスタを含み、
前記第３のトランジスタは、N型のMOSトランジスタを含み、
前記第４のトランジスタは、P型のMOSトランジスタを含み、
前記第１の端子はソースを含み、前記第２の端子はドレインを含み、前記制御端子はゲートを含む
前記（１９）に記載のチャージポンプ回路。
【符号の説明】
【０１９１】
１  電子回路システム，  １０  制御回路，  １００，１００Ａ，１００Ｂ，１００Ｃ  チャージポンプ回路，  １１１  定電流回路，  １１２  出力端子，  １２１  定電流回路，  １２２  出力端子，  １３１，１３２  定電流回路，  １３３  出力端子，  ２００，２００Ａ，２００Ｂ，２００Ｃ  チャージポンプ回路，  ２１１  出力端子，  ２１２，２１３  入力端子，  ２２１  出力端子，  ２２２，２２３  入力端子，  ２３１  出力端子，  ２３２乃至２３４  入力端子，  ３００，３００Ａ，３００Ｂ，３００Ｃ  チャージポンプ回路，  ３１１  出力端子，  ３１２，３１３  定電流回路，  ３２１  出力端子，  ３２２，３２３  定電流回路，  ３３１  出力端子，  ３３２乃至３３５  定電流回路，  C11  容量，  SW11乃至SW14  スイッチ，  TR11，TR12，TR13，TR14-1乃至TR14-N，TR15-1乃至TR15-N  トランジスタ，  C21  容量，  SW21乃至SW24  スイッチ，  TR21，TR22，TR23，TR24-1乃至TR24-N，TR25-1乃至TR25-N  トランジスタ，  C31，C32  容量，  SW31乃至SW38  スイッチ，  TR31，TR32，TR33，TR34-1乃至TR34-N，TR35-1乃至TR35-N，TR36，TR37，TR38，TR39-1乃至TR39-M，TR310-1乃至TR310-M  トランジスタ，  C41  容量，  L41乃至L43  信号線，  SW41乃至SW44  スイッチ，  TR41  電流源トランジスタ，  C51  容量，  L51乃至L53  信号線，  SW51乃至SW54  スイッチ，  TR51  電流源トランジスタ，  C61，C62  容量，  L61乃至L66  信号線，  SW61乃至SW68  スイッチ，  TR61，TR62  電流源トランジスタ，  C71  容量，  L71乃至L73  信号線，  SW71乃至SW74  スイッチ，  TR71  電流源トランジスタ，  TR72，TR73  トランジスタ，  C81  容量，  L81乃至L83  信号線，  SW81乃至SW84  スイッチ，  TR81  電流源トランジスタ，  TR82，TR83  トランジスタ，  C91，C92  容量，  L91乃至L96  信号線，  SW91乃至SW98  スイッチ，  TR91，TR94  電流源トランジスタ，  TR92，TR93，TR95，TR96  電流源トランジスタ
【図１】
2019150942.tif 000003
【図２】
2019150942.tif 000004
【図３】
2019150942.tif 000005
【図４】
2019150942.tif 000006
【図５】
2019150942.tif 000007
【図６】
2019150942.tif 000008
【図７】
2019150942.tif 000009
【図８】
2019150942.tif 000010
【図９】
2019150942.tif 000011
【図１０】
2019150942.tif 000012
【図１１】
2019150942.tif 000013
【図１２】
2019150942.tif 000014
【図１３】
2019150942.tif 000015
【図１４】
2019150942.tif 000016
【図１５】
2019150942.tif 000017
【図１６】
2019150942.tif 000018
【図１７】
2019150942.tif 000019
【図１８】
2019150942.tif 000020
【図１９】
2019150942.tif 000021
【国際調査報告】
2019150942.tif 000022
2019150942.tif 000023
2019150942.tif 000024
2019150942.tif 000025
2019150942.tif 000026
2019150942.tif 000027
2019150942.tif 000028
2019150942.tif 000029